(57)【要約】      （修正有）【課題】内径が簡易に変えられる環状装身具を提供する。【解決手段】環状装身具１０は環状部材１２を備え、環状部材は複数組のリンク機構１４を備える。リンク機構は、それぞれの中央で交差する外側のリンク１６と内側のリンク１８と、これら一対のリンクの交差部に設けられた第一関節２２を備える。また、環状部材１２は、隣り合うリンク機構１４Ａ、１４Ｂのリンク１６、１８の端部同士を連結する一対の第二関節である上方第二関節２４と下方第二関節２６を備える。第一関節２２、上方第二関節２４、および下方第二関節２６におけるリンクの回動により、環状部材の内径が変化する。【選択図】図５
0003222742.tif 000002
【実用新案登録請求の範囲】
【請求項１】
交差する一対のリンクと、前記一対のリンクの交差部に設けられた第一関節とを有する複数組のリンク機構と、隣り合う前記リンク機構の前記リンクの端部同士を連結する一対の第二関節とを備える環状部材を有し、
前記第一関節および前記第二関節における前記リンクの回動により、前記環状部材の内径が変化する環状装身具。
【請求項２】
請求項１において、
前記第一関節および前記第二関節の１つ以上の外側に装飾部材をさらに有する環状装身具。
【請求項３】
請求項２において、
前記第一関節および前記第二関節の全ての外側に装飾部材を有する環状装身具。
【請求項４】
請求項１から３のいずれかにおいて、
前記環状部材の内径が最小のとき、前記第一関節同士、一方の前記第二関節同士、および他方の前記第二関節同士が接する環状装身具。
【請求項５】
請求項１から４において、
前記環状部材の内径が最小のとき、内側の前記リンク同士が接する環状装身具。
【請求項６】
請求項１から５において、
前記リンクの形状が、２つの楕円形部材が前記交差部で連結した形状である環状装身具。
【考案の詳細な説明】
【技術分野】
【０００１】
本考案は、内径が変えられ、様々な太さの指に装着できる指輪、または指輪兼ブレスレットなどとして使用できる環状装身具に関する。
【背景技術】
【０００２】
指輪とブレスレットが兼用できる装身具が知られている（特許文献１）。この装身具は、連結された複数のリングを備えている。これらの複数のリングは、折りたたんで重ねたり、連結したまま直線状に広げたりできる。複数のリングを折りたたんで重ねた状態では、重ねられた複数のリングに指を通して指輪として使用できる。また、複数のリングを連結したまま直線状に広げた状態では、この直線状の複数のリングを腕に巻き、直線状の両端のリング同士を留めれば、ブレスレットとして使用できる。
【先行技術文献】
【特許文献】
【０００３】
【特許文献１】登録実用新案第３０１０７４２号公報
【考案の概要】
【考案が解決しようとする課題】
【０００４】
しかしながら、特許文献１に記載された装身具では、指輪からブレスレットに変更するとき、複数のリングが重なって指輪状になっている装身具のリングを直線状に広げ、腕に巻き、直線状の両端のリングを連結させる必要がある。簡易な操作によって、様々な太さの指に装着できる装身具、または指輪兼ブレスレットなどとして使用できる装身具の出現が望まれている。本考案は、このような事情に鑑みてなされたものであり、内径が簡易に変えられる環状装身具を提供することを課題とする。
【課題を解決するための手段】
【０００５】
本考案の環状装身具は、交差する一対のリンクと、一対のリンクの交差部に設けられた第一関節とを有する複数組のリンク機構と、隣り合うリンク機構のリンクの端部同士を連結する一対の第二関節とを備える環状部材を有し、第一関節および第二関節におけるリンクの回動により、環状部材の内径が変化する。
【考案の効果】
【０００６】
本考案の環状装身具では、交差する一対のリンクと、この交差部に設けられた第一関節を備える複数組のリンク機構が、一対の第二関節を介して環状に連結されている。このため、第一関節および第二関節におけるリンクの回動により、環状装身具の環状部材の内径が簡易に変えられる。
【図面の簡単な説明】
【０００７】
【図１】指輪として使用するときの実施形態の環状装身具の斜視図。
【図２】指輪として使用するときの実施形態の環状装身具の上面図。
【図３】指輪として使用するときの実施形態の環状装身具の正面図。
【図４】図２のＡ部の内側面図。
【図５】ブレスレットとして使用するときの実施形態の環状装身具の斜視図。
【図６】ブレスレットとして使用するときの実施形態の環状装身具の上面図。
【図７】ブレスレットとして使用するときの実施形態の環状装身具の正面図。
【図８】図６のＢ部の内側面図。
【考案を実施するための形態】
【０００８】
以下、図面を参照しながら、本考案の環状装身具の実施形態について説明する。なお、図面は、環状装身具、環状装身具の構成部材、および環状装身具の周辺部材を模式的に表したものであり、これらの実物の寸法および寸法比は、図面上の寸法および寸法比と必ずしも一致していない。また、特にことわらない限り、本願では便宜上、図３および図７に示す環状装身具の向きを基準に、上下および内外などの方向を表す。重複説明は適宜省略し、同一部材には同一符号を付与することがある。
【０００９】
図１は、指輪として使用するときの本考案の実施形態の環状装身具１０を示している。図２は、指輪として使用するときの環状装身具１０の上面を示している。図３は、指輪として使用するときの環状装身具１０の正面を示している。図４は、指輪として使用するときの環状装身具１０の内側面を示している。また、図５は、ブレスレットとして使用するときの本考案の実施形態の環状装身具１０を示している。図６は、ブレスレットとして使用するときの環状装身具１０の上面を示している。図７は、ブレスレットとして使用するときの環状装身具１０の正面を示している。図８は、ブレスレットとして使用するときの環状装身具１０の内側面を示している。
【００１０】
環状装身具１０は環状部材１２を備えている。環状部材１２は複数組のリンク機構１４を備えている。リンク機構１４は、それぞれの中央で交差している外側のリンク１６および内側のリンク１８と、これらの一対のリンク１６，１８の交差部２０に設けられた第一関節２２を備えている。図３などに示すように、リンク１６の形状は、２つの中空の楕円形部材が交差部２０で連結した形状である。リンク１８の形状はリンク１６の形状と同じである。なお、リンク１６，１８の形状には特に制限がなく、リンク１６，１８の形状は、中実の楕円形部材が交差部で連結した形状であってもよく、直線形状、曲線形状、多角形形状、または音符形もしくは星形等の装飾形状などであってもよい。また、本実施形態では、リンク１６，１８が金属製であるが、リンク１６，１８の原材料にも特に制限がない。
【００１１】
第一関節２２は、中心軸２２ａと、リンク１６が中央で回動するように、中心軸２２ａの周囲に設けられた第一筒状部材２２ｂと、リンク１８が中央で回動するように、中心軸２２ａの周囲に設けられた第二筒状部材２２ｃを備えている。なお、環状装身具１０の外側に第一筒状部材２２ｂが、環状装身具１０の内側に第二筒状部材２２ｃが設けられている。中心軸２２ａの周囲では、リンク１６が第一筒状部材２２ｂと一体に回動し、リンク１８が第二筒状部材２２ｃと一体に回動する。なお、第一筒状部材２２ｂと第二筒状部材２２ｃは、互いに独立して中心軸２２ａの径が小さい部分の周囲を回動する。
【００１２】
環状部材１２は、一対の第二関節である上方第二関節２４および下方第二関節２６を備えている。図５に示すように、一対の第二関節２４，２６は、隣り合うリンク機構１４Ａ，１４Ｂのリンク１６，１８の端部同士を連結する。すなわち、図５および図７に示すように、上方第二関節２４は、あるリンク機構１４Ａのリンク１６の上端１６ａと、隣のリンク機構１４Ｂのリンク１８の上端１８ａを連結する。また、下方第二関節２６は、リンク機構１４Ａのリンク１８の下端１８ｂと、リンク機構１４Ｂのリンク１６の下端１６ｂを連結する。
【００１３】
第一関節２２と同様に、上方第二関節２４は、中心軸２４ａと、リンク１６が上端部１６ａで回動するように、中心軸２４ａの周囲に設けられた第一筒状部材２４ｂと、リンク１８が上端部１８ａで回動するように、中心軸２４ａの周囲に設けられた第二筒状部材２４ｃを備えている。上方第二関節２４と同様に、下方第二関節２６は、中心軸２６ａと、リンク１８が下端部１８ｂで回動するように、中心軸２６ａの周囲に設けられた第一筒状部材２６ｂと、リンク１６が下端部１６ｂで回動するように、中心軸２６ａの周囲に設けられた第二筒状部材２６ｃを備えている。
【００１４】
なお、第一筒状部材２４ｂと第二筒状部材２４ｃ、および第一筒状部材２６ｂと第二筒状部材２６ｃは、それぞれ互いに独立して中心軸２４ａ，２６ａの周囲を回動する。すなわち、上方第二関節２４および下方第二関節２６では、リンク１６，１８のなす角度が変わるようにリンク１６，１８が独立して回動する。そして、図１および図５に示すように、第一関節２２、上方第二関節２４、および下方第二関節２６におけるリンク１６，１８の回動により、環状部材１２の内径が変化する。
【００１５】
すなわち、図１および図２に示す状態で、内径が大きくなるように環状部材１２を引っ張ると、第一関節２２でリンク１６，１８が回動して、リンク１６，１８が形成する上方と下方の角度が大きくなる。これとともに、上方第二関節２４で１６，１８が回動して、リンク１６，１８が形成する下方の角度が大きくなり、下方第二関節２６で１６，１８が回動して、リンク１６，１８が形成する上方の角度が大きくなる。こうして、環状部材１２の内径が大きくなり、図５および図６に示す状態となる。
【００１６】
反対に、図５および図６に示す状態で、内径が小さくなるように環状部材１２を押すと、第一関節２２でリンク１６，１８が回動して、リンク１６，１８が形成する上方と下方の角度が小さくなる。これとともに、上方第二関節２４で１６，１８が回動して、リンク１６，１８が形成する下方の角度が小さくなり、下方第二関節２６で１６，１８が回動して、リンク１６，１８が形成する上方の角度が小さくなる。こうして、環状部材１２の内径が小さくなり、図１および図２に示す状態となる。このように、環状装身具１０では、環状部材１２の内径が簡易に変えられる。
【００１７】
なお、環状部材１２が複数のリンク機構１４から構成されており、各リンク機構１４の少しずつの伸び縮みが連動することによって、環状部材１２の内径が変化する。したがって、所定の大きさの力を環状部材１２に付与しないと、環状部材１２の内径は変化しない。このため、環状装身具１０では、環状部材１２の内径が、意図しないで大きくなったり小さくなったりするのを抑えられる。
【００１８】
環状装身具１０は、複数の第一関節２２、上方第二関節２４、および下方第二関節２６のうちの１つ以上の外側に装飾部材である宝石２８をさらに備えていることが好ましい。本実施形態では、全ての第一関節２２、上方第二関節２４、および下方第二関節２６の外側に宝石２８が設けられている。このため、環状装身具１０は装飾性に優れている。より具体的には、第一筒状部材２２ｂ，２４ｂ，２６ｂおよび第二筒状部材２２ｃ，２４ｃ，２６ｃの回動を妨げないように、中心軸２２ａ，２４ｂ，２６ｂの外側に宝石２８が固定されている。
【００１９】
また、図１から図４に示すように、環状装身具１０では、環状部材１２の内径が最小のとき、第一関節２２同士、一方の第二関節同士である上方第二関節２４同士、および他方の第二関節同士である下方第二関節２６同士が接している。このため、環状部材１２の内径が最小のとき、第一関節２２、上方第二関節２４、および下方第二関節２６にそれぞれ設けられた宝石２８同士が、それぞれ円形を形成し、環状装身具１０に美観が生じる。さらに、図１などに示すように、環状装身具１０では、環状部材１２の内径が最小のとき、内側のリンク１８同士がそれぞれ接している。このため、環状部材１２の内径が最小のとき、複数のリンク１６とリンク１８が、それぞれ規則的な模様を形成し、環状装身具１０に美観が生じる。
【符号の説明】
【００２０】
１０    環状装身具
１２    環状部材
１４    リンク機構
１４Ａ，１４Ｂ  隣り合うリンク機構
１６    リンク
１６ａ  上端部
１６ｂ  下端部
１８    リンク
１８ａ  上端部
１８ｂ  下端部
２０    一対のリンクの交差部
２２    第一関節
２２ａ  中心軸
２２ｂ  第一筒状部材
２２ｃ  第二筒状部材
２４    上方第二関節
２４ａ  中心軸
２４ｂ  第一筒状部材
２４ｃ  第二筒状部材
２６    下方第二関節
２６ａ  中心軸
２６ｂ  第一筒状部材
２６ｃ  第二筒状部材
２８    宝石
【図１】
0003222742.tif 000003
【図２】
0003222742.tif 000004
【図３】
0003222742.tif 000005
【図４】
0003222742.tif 000006
【図５】
0003222742.tif 000007
【図６】
0003222742.tif 000008
【図７】
0003222742.tif 000009
【図８】
0003222742.tif 000010